(57)【要約】      （修正有）【課題】移動機器に障害が起こったときに、移動機器が自由落下等、不適切に使用されなかったかどうかを容易に判別できるようにする。【解決手段】移動機器１に内蔵されたマイクロメカニカルセンサ素子および評価ユニットを有するセンサ２によって測定された加速度値が、限界値を上方超過または下方超過したことを表すデータをメモリに記憶する。【選択図】図１
2009198495.tif 000002
【特許請求の範囲】
【請求項１】
移動機器（１）にマイクロメカニカルセンサ素子を有するセンサ（２）が設けられており、該マイクロメカニカルセンサ素子にはメモリが対応しており、該マイクロメカニカルセンサ素子により当該の移動機器に作用する加速度が求められる、
移動機器において、
前記メモリは前記マイクロメカニカルセンサ素子によって測定された加速度値が限界値を上方超過または下方超過したことを表すデータを記憶する
ことを特徴とする移動機器。
【請求項２】
移動機器（１）にマイクロメカニカルセンサ素子および評価ユニットを有するセンサ（２）が設けられており、該評価ユニットには加速度の限界値を記憶したメモリが配属されており、前記マイクロメカニカルセンサ素子により当該の移動機器に作用する加速度が求められ、該加速度が前記評価ユニットにおいて処理される、
移動機器において、
前記メモリは前記マイクロメカニカルセンサ素子によって測定された加速度値が限界値を上方超過または下方超過したことを表すデータを記憶する
ことを特徴とする移動機器。
【請求項３】
前記データから加速度の測定値および／または加速度の発生時点および／または上方超過または下方超過の持続時間が導出される、請求項１または２記載の移動機器。
【請求項４】
前記データにより当該の移動機器の不適切な使用の発生およびタイプが検出される、請求項１から３までのいずれか１項記載の移動機器。
【請求項５】
前記加速度値が前記限界値を上方超過または下方超過したことにより当該の移動機器に対する機械的衝撃および／または自由落下および／または強い振動が確認される、請求項１から４までのいずれか１項記載の移動機器。
【請求項６】
前記移動機器は分析ユニット（３）を有しているかおよび／または分析ユニットに接続可能であり、該分析ユニットを介して前記データが呼出可能であるかおよび／または表示可能である、請求項１から５までのいずれか１項記載の移動機器。
【請求項７】
前記移動機器および前記分析ユニットはケーブルまたは無線により前記データを交換する、請求項１から６までのいずれか１項記載の移動機器。
【請求項８】
請求項１から７までのいずれか１項記載の移動機器のデータを評価する分析ユニット（３）において、
データは当該の分析ユニットにより呼出可能であるかおよび／または表示可能であることを特徴とする
分析ユニット。
【請求項９】
請求項１から７までのいずれか１項記載の移動機器（１）の不適切または適切な使用を検出する方法において、
前記移動機器に作用する加速度をマイクロメカニカルセンサ素子により測定し、当該の加速度が所定の限界値を上方超過または下方超過した場合に、測定された加速度値および／または加速度の発生時点および／または上方超過または下方超過の持続時間をデータとしてメモリに記憶する
ことを特徴とする移動機器の不適切または適切な使用を検出する方法。
【請求項１０】
分析ユニット（３）により前記データを問い合わせ、記憶されている前記データに基づいて不適切な使用を確認する、請求項８記載の方法。
【請求項１１】
請求項１から７までのいずれか１項記載の移動機器（１）を移動無線機および／またはディジタルカメラおよび／またはＰＤＡおよび／またはラップトップコンピュータおよび／または移動式ＴＶおよび／または移動式ハードディスクとして用いることを特徴とする移動機器の使用。
【請求項１２】
請求項８記載の分析ユニットを移動機器（１）のデータの表示および／または呼び出しに用いることを特徴とする分析ユニットの使用。
【発明の詳細な説明】
【技術分野】
【０００１】
本発明は独立請求項の上位概念に記載された形式の移動機器に関する。
【背景技術】
【０００２】
独国公開第１０１０１０３９号明細書から自由落下センサを備えたポータブル機器が公知である。ここでは、機器が自由落下したとき、機器のユーザデータを記憶するセーフティ機能がトリガされる。こうした公知の装置の欠点は、機器に対する機械的負荷の発生、例えば自由落下の発生から時間が経つとこれを証明することができないということである。したがって、メーカは、障害が起こったときに、機器が不適切に使用されなかったどうかを容易に判別することができない。
【特許文献１】独国公開第１０１０１０３９号明細書
【発明の開示】
【発明が解決しようとする課題】
【０００３】
したがって、本発明の基礎とする課題は、障害が起こったときに、機器が不適切に使用されなかったどうかを容易に判別できるようにすることである。
【課題を解決するための手段】
【０００４】
この課題は、マイクロメカニカルセンサ素子によって測定された加速度値が限界値を上方超過または下方超過したことを表すデータをメモリに記憶することにより解決される。
【発明を実施するための最良の形態】
【０００５】
本発明の独立請求項に記載された移動機器、分析ユニットおよび移動機器の不適切な使用を検出する方法は、従来技術に比べて、ユーザ側の不適切な使用を証明することができるという利点を有する。このために、測定された加速度の値が限界値を上方超過または下方超過したことを表すデータがメモリへ格納される。メーカは記憶されたデータを用いて移動機器の不適切な使用を証明することができる。したがってメーカは例えば保証期間内の無料修理を断ったり、修理をサービスとして行うと表明したりすることができる。
【０００６】
加速度の限界値として唯一の値を設定することも複数の値を設定することもできる。ここで１つまたは複数の加速度の限界値は有利には評価ユニットに対応するメモリ（データメモリ）に記憶される。有利には、評価ユニットはセンサ素子によって連続的に測定された加速度値と１つまたは複数の限界値とを比較し、測定された加速度値をデータの形態で記憶する。したがって、限界値が上方超過または下方超過されたことを確認することができる。当分野の技術者であれば、測定された加速度から移動機器に作用する機械的負荷の推論を得ることができる。加速度が設定された限界値を上方超過または下方超過した場合、有利には、不適切な使用を表す機械的負荷が発生していることになる。このような機械的負荷を以下では不適切な機械的負荷と称する。
【０００７】
有利には、限界値の上方超過または下方超過を表すデータは、相応の加速度値および／または加速度の発生時点および／または限界値の上方超過または下方超過の持続時間とともに記憶される。これにより、有利には、不適切な機械的負荷が移動機器に作用したことだけでなく、どれだけの強さでどれだけの時間にわたって不適切な機械的負荷が移動機器に作用したかも知ることができる。例えば移動機器に発生した欠陥は記憶されたデータと関連づけられる。不適切な機械的負荷の発生した時点を付加的に記憶すれば、メーカはさらに不適切な機械的負荷が商品の購買時よりも前に起こったということを確認できる。また、負荷の発生時点を記憶することにより、リース機器においてはリース業者において不適切な機械的負荷が発生したことを発見することができる。当該のリース業者は場合により移動機器の故障に責任を負うことになる。有利には、記憶されたデータにより、不適切な使用のタイプを求めることができる。メーカはこれにより正確に、移動機器の不適切な使用があったこと、ならびに、当該の不適切な使用により移動機器の故障が起こったことを裏付けることができる。有利には、不適切な機械的負荷として、加速度値が限界値を上方超過または下方超過したことにより、当該の移動機器に対する機械的衝撃および／または自由落下および／または強い振動が確認される。この場合、確認された不適切な機械的負荷から移動機器の不適切な使用のタイプが求められる。例えば、機械的衝撃が作用している場合、当該の移動機器と他の対象物との衝突が発生していることになる。このときにはきわめて高い短時間の加速度が測定される。強い加速度ひいては強い振動が長い時間にわたって測定される場合、例えば誤った方式で保管されたり輸送されたりしたとの情報が得られる。
【０００８】
有利には、移動機器は分析ユニットを有しているかおよび／または分析ユニットに接続可能であり、この分析ユニットを介して記憶されたデータを呼出可能であるかおよび／または表示可能である。特に有利には、移動機器からのデータの呼び出しに対して、活性化コードが分析ユニットから移動機器へ伝送される。活性化コードは有利にはメーカのみが承知しているので、データの不正操作は困難である。移動機器が分析ユニットを有している場合、データは有利には移動機器への活性化コードの入力後に移動機器そのものにおいて表示される。例えば活性化コードは携帯電話機のキーボードから入力され、データが当該の携帯電話機のディスプレイに表示される。もちろん、分析ユニットは移動機器そのものに設けられていてもよく、その場合には当該の分析ユニットには権限を有する人員しかアクセスできなくなる。
【０００９】
有利には、移動機器および分析ユニットはケーブルまたは無線によりデータを双方向で交換する。例えば無線コネクションはＢｌｕｅｔｏｏｔｈ（商標）により実現される。
【００１０】
本発明の第２の対象は移動機器のデータを評価する分析ユニットであり、本発明によれば、移動機器の不適切な使用を表すデータが記憶され、当該のデータが分析ユニットにより表示可能である。有利には、本発明の移動機器はセンサ素子および評価ユニットを有している。データの表示は例えば音響表示、視覚表示あるいは音響表示および視覚表示の組み合わせにより行われる。例えば、移動機器と分析ユニットとのあいだの接続が有効に形成された場合に分析ユニットからトーン信号が出力され、データがテーブルとしてディスプレイに表示される。分析ユニットは移動機器と一体のユニットまたは統合型ユニットとして設けられても良いし、移動機器の外部のユニットとして設けられても良い。
【００１１】
本発明の第３の対象は移動機器の不適切または適切な使用を検出する方法であり、本発明によれば、移動機器に作用する加速度をマイクロメカニカルセンサ素子により連続的または非連続的に測定し、当該の加速度が所定の限界値を上方超過または下方超過した場合にそのことをデータとしてメモリに記憶する。加速度が限界値を上方超過または下方超過したことのほか、加速度値および／または超過の発生時点および／または超過の持続時間がデータの形態でメモリに記憶される。有利には、加速度が限界値を上方超過または下方超過した持続時間と相応の加速度値とから、移動機器の不適切な使用のタイプが求められ、前述の場合と同様にデータとしてメモリに記憶される。
【００１２】
有利には、分析ユニットにより記憶されているデータが問い合わされ、記憶されているデータに基づいて不適切な使用が確認される。
【００１３】
記憶されているデータの問い合わせの後、自動的にまたは命令によりデータが消去されるかデータが保存される。
【００１４】
移動機器の不適切な使用があっても、測定された加速度値が限界値を上方超過または下方超過しなければ、データはメモリには記憶されない。有利には、つねに加速度値をデータとして記憶し、不適切な使用についての示唆が得られるように構成することができる。これにより、小さなメモリスペースしか要さず、メモリを小さく設計できるのでコストの点で有利である。移動機器の不適切な使用があった場合でも、限界値を超過したことに関するデータがメモリに記憶されていなければ、分析ユニットはデータを表示しないことがある。特に有利には、この場合、分析ユニットは特別な信号を出力する。これにより分析ユニットのユーザは障害が発生したのではなく、不適切な使用に関するデータが存在しなかっただけであることを知ることができる。
【００１５】
本発明の移動機器は、特に、移動無線機および／またはディジタルカメラおよび／またはＰＤＡおよび／またはラップトップコンピュータおよび／または移動式ＴＶおよび／または移動式ハードディスクとして構成される。
【００１６】
また、本発明の分析ユニットは、特に、移動機器の機器データの表示および／または呼び出しに用いられる。
【実施例】
【００１７】
本発明の実施例を図示し、以下に詳細に説明する。
【００１８】
図１には本発明の移動機器１および分析ユニット３の概略図が示されている。図１の実施例では、移動機器１は携帯電話機として構成されており、センサ２を有する。センサ２により移動機器１の不適切な使用が証明される。このために、センサ２は、移動機器の加速度を測定するための個別には図示されていないマイクロメカニカルセンサ素子と同様に個別には図示されていない評価ユニットとを有する。センサ２の評価ユニットまたはマイクロメカニカルセンサ素子にはデータメモリが配属されている。データメモリはセンサ内つまり評価ユニット内に設けられても良いし、移動機器１の別の個所に設けられても良い。有利には、データメモリはマイクロメカニカルセンサ素子および評価ユニットとともに移動機器１内に組み込まれる。もちろんデータメモリは分散配置も可能である。つまり、データメモリの或る部分がマイクロメカニカルセンサ素子および／または評価ユニットとともに移動機器に組み込まれ、他の部分が他の個所に配置される構成であっても良い。
【００１９】
データメモリあるいはその一部には少なくとも１つの加速度値が記憶される。評価ユニットはセンサ素子によって測定された加速度値と限界値とを比較する。加速度値が限界値を上方超過または下方超過した場合、有利には付加的な情報とともに、測定値のデータがデータメモリに記憶される。付加的な情報とは、例えば数値としての加速度のレベル、および／または、限界値の超過の持続時間である。
【００２０】
本発明によれば、有利には、測定された加速度値が限界値を上方超過または下方超過した場合にのみ、加速度データの記憶が行われる。これに代えて、加速度データの記憶をつねに行い、全ての加速度データを記憶することもできる。つねに記憶が行われる場合、データメモリの容量は、全ての加速度値を記憶できるように選定される。ただしこれによりサンプリングレートに応じて大きなデータ量が生じ、コストが幾分高くなることがある。また、データメモリの容量がいっぱいになった場合、メモリ容量およびサンプリングレートまたは記録速度に照らしてあまり長い時間が経過する前に、加速度データの上書きが行われる。これにより、有利には、限界値の上方超過または下方超過の前に短い時間範囲で検出を行うことができる。
【００２１】
図１では、移動機器１は内部に存在しない分析ユニット３に接続されている。当該の接続は、例えば無線インタフェース、例えば赤外線コネクションまたはＢｌｕｅｔｏｏｔｈ（商標）、ＷＬＡＮ（wireless local area network），Ｗｉｆｉ，ＮＦＣ（nearfield communication）などの無線コネクションにより、あるいは、有線接続により、行われる。分析ユニット３は有利にはメモリ内のデータを移動機器１との接続を介して呼び出し、ディスプレイに表示したり、記憶媒体に移したりする。もちろん、分析ユニット３が移動機器１の内部に存在して活性化信号のみによって活性化できる構成であってもよい。このとき、特に有利には、分析ユニット３は、相応のコードが入力装置、例えばキーボードに入力されることにより、移動機器１そのものによって活性化される。また、メモリからのデータは移動機器１に表示されると有利である。例えば移動機器１はデータをグラフィックとしてディスプレイ装置に表示することができる。
【００２２】
図２には本発明の移動機器の不適切な使用を検出する方法のフローチャートが示されている。ステップＡでは移動機器の加速度の規則的な測定が行われる。ステップＡで測定された加速度の値はメモリ内の限界値と比較される。測定された加速度値が限界値を上方超過または下方超過した場合、ステップＢで当該の加速度値がメモリに記憶される。このとき、超過の日付、時刻、持続時間、相応の測定値などもデータとともに記憶される。測定された加速度値が限界値を上方超過または下方超過しなかった場合、ステップＣで、測定された加速度値が例えば他の目的で利用される。例えば移動機器１の加速度はユーザに対する付加的情報として出力される。ステップＤでは記憶されたデータが外部の分析ユニット３によりメモリから読み出される。
【図面の簡単な説明】
【００２３】
【図１】本発明の移動機器および分析ユニットの概略図である。
【図２】本発明の移動機器の不適切な使用を検出する方法のフローチャートである。
【符号の説明】
【００２４】
１  移動機器、  ２  センサ、  ３  分析ユニット
【図１】
2009198495.tif 000003
【図２】
2009198495.tif 000004